(57)【要約】【課題】エンジンケースとミッションケースとの接合面で発生する振動をさらに効果的に抑制できる構造を提供するケース構造を提供する。【解決手段】接合面２８、３０に振動が伝達されると、突出部３２とその突出部３２と当接する接合面２８との間の摩擦係数μ１が、接合面３０と接合面２８との間の摩擦係数μ２よりも低いため滑りが生じる。この滑りによって摩擦熱が発生するので、振動エネルギが熱エネルギに変換されて放出される。従って、摩擦によって振動エネルギが低減されるので振動を抑制することができる。また、ボルト本数の増加や加工精度を高めたり、防音カバーやダイナミックダンパを追加する必要もないため、製造コストの増加も抑制される。【選択図】図４
2013167275.tif 000002
【特許請求の範囲】
【請求項１】
エンジンを収容するエンジンケースと、該エンジンの動力を駆動輪に伝達する動力伝達装置を収容するミッションケースとを、含み、前記エンジンケースの接合面と前記ミッションケースの接合面とが密接された状態で、これらの接合面に複数個形成されたボルト穴を貫通するボルトによって一体的に締結される車両用駆動装置のケースであって、
所定の前記ボルト穴間の前記エンジンケースおよび前記ミッションケースの少なくとも一方の接合面には、他方の接合面に向かって突き出す突出部が形成されており、
前記突出部と該突出部と密接する前記他方の接合面との間の摩擦係数が、前記突出部が形成されていない前記接合面間の摩擦係数よりも低く設定されていることを特徴とする車両用駆動装置のケース。
【発明の詳細な説明】
【技術分野】
【０００１】
本発明は、制振構造を有する車両用駆動装置のケースに関するものである。
【背景技術】
【０００２】
一般に、車両用駆動装置のケースは、エンジンを収容するエンジンケースと、そのエンジンの動力を駆動輪に伝達する動力伝達装置を収容するミッションケースとを含み、前記エンジンケースの接合面（合わせ面）と前記ミッションケースの接合面（合わせ面）とが密接された状態で、これらの接合面に複数個形成されたボルト穴を貫通するボルトによって一体的に締結されている。例えば特許文献１のパワーユニットの締結構造についても同様に構成されている。
【先行技術文献】
【特許文献】
【０００３】
【特許文献１】特開２０１０−２６５９６７号公報
【特許文献２】特開２００６−２８００号公報
【発明の概要】
【発明が解決しようとする課題】
【０００４】
ところで、このような動力伝達装置のケースにおいて、例えば車両走行中に動力伝達装置で振動が発生すると、その振動がケースに伝達される。ここで、エンジンケースの接合面とミッションケースの接合面との間に、加工ばらつき、熱膨張、組付誤差等に起因して隙間が生じると、その接合面において振動しやすくなる。この振動を低減するためには、例えばエンジンケースとミッションケースとを締結するボルトの本数を増加させることが考えられる。しかしながら、ボルトの本数を増加すると、組付の際に他の装置との干渉が生じる可能性もあり、ボルトの本数を増加するにも限界がある。また、部品点数が増加して製造コストが高くなる問題も生じる。
【０００５】
また、接合面の加工精度を高くして、加工ばらつき、組付誤差を低減したり、ケースの温度変化を抑制できる設計（断熱設計等）とすることでも振動は低減される。さらには、動力伝達装置を構成する歯車等の加工精度を高くして、振動の原因となる噛合伝達誤差を低減したり、防音カバーやダイナミックダンパを設けることでも振動は低減される。しかしながら、ケース接合面や動力伝達装置の歯車等の加工精度を高くする、或いは、防音カバーやダイナミックダンパを設けると、その背反として製造コスト増加や車両重量が増加するという問題が生じる。また、ケースの温度変化を抑制することについても製造コストが増加し、十分な効果が得られない。
【０００６】
これに対して、特許文献１では、前記エンジンケースおよび前記ミッションケースの一方の接合面（合わせ面）に突出部が設けられている。この突出部が設けられることで、各ケースの加工ばらつき、熱膨張による変形、組付誤差等によって、接合面間に隙間が生じても、ボルト締結時に突出部が他方の接合面に当接した状態で保持される。従って、突出部によって接合面が支持されるので、接合面で生じる振動が低減されることとなる。
【０００７】
しかしながら、この特許文献１のように構成することで、振動は低減されるが、必ずしも十分な効果が得られるというわけではなく、代わりに他の周波数域や他の接合面において振動が発生する可能性があった。従って、接合面で発生する振動をさらに低減できるケース構造が必要とされていた。
【０００８】
本発明は、以上の事情を背景として為されたものであり、その目的とするところは、エンジンを収容するエンジンケースと、そのエンジンの動力を駆動輪に伝達する動力伝達装置を収容するミッションケースとを含み、前記エンジンケースの接合面と前記ミッションケースの接合面とが密接された状態で、これらの接合面に複数個形成されたボルト穴を貫通するボルトによって一体的に締結されている車両用駆動装置のケースにおいて、接合面で発生する振動をさらに効果的に抑制できる構造を提供することにある。
【課題を解決するための手段】
【０００９】
上記目的を達成するための、第１発明の要旨とするところは、(a)エンジンを収容するエンジンケースと、そのエンジンの動力を駆動輪に伝達する動力伝達装置を収容するミッションケースとを、含み、前記エンジンケースの接合面と前記ミッションケースの接合面とが密接された状態で、これらの接合面に複数個形成されたボルト穴を貫通するボルトによって一体的に締結される車両用駆動装置のケースであって、(b)所定の前記ボルト穴間の前記エンジンケースおよび前記ミッションケースの少なくとも一方の接合面には、他方の接合面に向かって突き出す突出部が形成されており、(c)前記突出部とその突出部と密接する前記他方の接合面との間の摩擦係数が、前記突出部が形成されていない前記接合面間の摩擦係数よりも低く設定されていることを特徴とする。
【発明の効果】
【００１０】
このようにすれば、接合面に振動が伝達されると、前記突出部とその突出部と当接する接合面との間の摩擦係数が低いために滑りが生じる。この滑りによって摩擦熱が発生するので、振動エネルギが熱エネルギに変換されて放出される。従って、摩擦によって振動エネルギが低減されるので振動を抑制することができる。また、上記構造を構成するに際して、ボルト本数の増加や加工精度を高めたり、防音カバーやダイナミックダンパを追加する必要もないため、製造コストの増加も抑制される。
【図面の簡単な説明】
【００１１】
【図１】本発明が適用された車両用駆動装置を簡略的に示す図である。
【図２】図１のアクスルケースをエンジン側から見た図である。
【図３】図１の車両用駆動装置を鉛直上方から見た図である。
【図４】ボルト締結時において、図２および図３のアクスルケースの突出部とエンジンケースの接合面とが当接する状態を拡大して簡略的に示した図である。
【図５】図１の車両用駆動装置を駆動させた際の周波数と音圧との関係を示す図である。
【図６】図２および図３に示す突出部が形成される部位を加振した際の周波数に対するコヒーレンス、位相、イナータンスをそれぞれ示す図である。
【図７】本発明の他の実施例である車両用駆動装置のエンジンケースのフランジ部とアクスルケースのフランジ部であって、特に、突出部とアクスルケースの接合面とがボルトによって締結される部位を拡大した図であり、前述の実施例の図４に対応している。
【発明を実施するための形態】
【００１２】
以下、本発明の実施例を図面を参照しつつ詳細に説明する。なお、以下の実施例において図は適宜簡略化或いは変形されており、各部の寸法比および形状等は必ずしも正確に描かれていない。
【実施例１】
【００１３】
図１は、本発明が適用された車両用駆動装置１０を簡略的に示す図である。車両用駆動装置１０は、ＦＦ（フロントエンジン・フロントドライブ）方式の車両に好適に採用されるものであり、内燃機関で構成されるエンジン１２と、エンジンの動力を左右の駆動輪１４に伝達する車両用動力伝達装置として機能するトランスアクスル１６とを、含んで構成されている。なお、本実施例において、車両用駆動装置は、エンジンおよび車両用駆動装置を含むものと定義する。
【００１４】
エンジン１２は、例えば、気筒内噴射される燃料の燃焼によって駆動力を発生させるガソリンエンジン或いはディーゼルエンジン等の内燃機関である。トランスアクスル１６は、主に発電機として機能する第１電動機ＭＧ１と、主に駆動用モータとして機能する第２電動機ＭＧ２、エンジン１２からの動力を第１電動機ＭＧ１および駆動輪１４に分割する動力分配機構として機能する遊星歯車装置１７とを含んで構成される、よく知られたハイブリッド形式の動力伝達装置である。また、遊星歯車装置１７から回転が伝達される出力歯車の回転は、終減速機１９を介して左右の駆動輪１４に伝達される。なお、トランスアクスル１６の具体的な制御作動については公知であるため、その説明を省略する。
【００１５】
エンジン１２を収容するエンジンケース１８は、例えばアルミニウムから成り、一方が開口する有底筒状に形成されている。また、トランスアクスルを収容するアクスルケース２０も同様にアルミニウム金属から成り、一方が開口する有底筒状の部材である。なお、アクスルケース２０は、図１では１つの部材から構成されているが、実際には複数（例えば３つ）のケース部材が図示しないボルトによって互いに締結されることで一体的な構造をとっている。なお、アクスルケース２０が、本発明のミッションケースに対応している。
【００１６】
エンジンケース１８の開口側（アクスルケース２０に接続される側）およびアクスルケース２０の開口側（エンジンケース１８に接続される側）には、それぞれ外周側に伸びるフランジ部１８ａ、２０ａが形成されている。この各フランジ部１８ａ、２０ａには、周方向に複数個のボルト穴２２、２４が形成されており、ボルト２６がこれらボルト穴２２およびボルト穴２４を貫通した状態で締結される。従って、エンジンケース１８の開口端部に形成される接合面２８（合わせ面）とアクスルケース２０の開口端部に形成される接合面３０（合わせ面）とが、ボルト締結力によってに互いに密接させられている。なお、エンジンケース１８およびアクスルケース２０が一体的に締結されることで、本発明のケースが形成される。
【００１７】
図２は、アクスルケース２０をエンジン１２側から見た図である。なお、図２において上方側が、車両の鉛直上方側に対応している。図２のアクセルケース２０において、斜線が施されている部位がアクスルケース２０の開口側に形成される接合面３０に対応している。図２からもわかるように、接合面３０にはボルト締結用のボルト穴２４（２４ａ〜２４ｋ）が周方向に複数個形成されている。
【００１８】
ここで、本実施例のアクスルケース２０では、図２に示すボルト穴２４ａとボルト穴２４ｋとを結ぶ間隔（ボルトスパン）が長くなっており、それに応じてボルト穴２４ａとボルト穴２４ｋとの間に形成されている接合面３０ａの長さも長く形成されている。また、この接合面３０ａは、一点鎖線Ｌで示すボルト穴２４ａとボルト穴２４ｋとを結ぶ直線に対して外周側に膨らんで（オフセットして）形成されている。また、接合面３０は、ボルト穴２４ａとボルト穴２４ｋとの間の接合面３０ａに限らずどの面においても平面に形成されており、その断面形状も直線状に形成されている。
【００１９】
このように形成されるアクスルケース２０において、走行時など車両用駆動装置１０が動力伝達状態にあるとき、車両用駆動装置１０を構成する歯車に形成される噛合伝達誤差等に起因して振動が発生する。この振動がアクスルケース２０に入力されると、例えば接合面２８、３０間の接触不良等によって、接合面２８、３０において振動およびその振動による騒音が発生することがある。特に、前記接合面３０ａでは、ボルト穴２４ａとボルト穴２４ｋとの間のボルトスパンが長いために接合面３０ａも長くなるため、ボルト２６による締結力が作用しにくくなる部位も存在するため振動しやすくなる。また、接合面３０ａは、ボルト穴２４ａとボルト穴２４ｋとを結ぶ一点鎖線Ｌに対して外周側に膨らんで形成されており、この点においてもボルト２６による締結力が作用しにくくなるため、振動が発生しやすくなる。さらに、接合面３０ａの断面形状は、曲面状ではなく平面状に形成されているために、振動特性上不利な構造となっている。
【００２０】
これを解消するため、ボルト穴２４ａとボルト穴２４ｋとの間隔、すなわちボルトスパンを短くすることが考えられるが、組付の際に他の装置と干渉しやすくなるなど、アクスルケース２０の設計上の制約があるために困難となっていた。また、接合面２８、３０やトランスアクスル１６を構成する歯車の加工精度を高くすれば、接合面間に形成される振動の原因となる隙間等も少なくなり、噛合伝達誤差についても低減されるので、振動が低減されることとなるが、加工精度を高くする背反として製造コストが高くなる問題が生じる。また、加工精度を高くしても、接合面間の隙間や噛合伝達誤差を完全に無くすことは不可能であるため、製造コスト増加見合った効果も見込めない。さらに、振動を抑制するために防音カバーやダイナミックダンパを設けることも考えられるが、部品点数が大幅に増加し、車両重量や製造コストも増加するため、最良の方法とはいえなかった。
【００２１】
そこで、本実施例では、アクスルケース２０の接合面３０であって、特に振動が発生しやすい接合面３０ａに後述する制振構造が設けられている。以下、その制振構造について説明する。
【００２２】
図２に戻り、アクスルケース２０の接合面３０ａには、接合面３０ａからエンジンケース１８の接合面２８に向かって突き出すように、複数個（本実施例では４個）の突出部３２が形成されている。図３は、図１の車両用駆動装置１０を鉛直上方から見た図に対応している。図３からもわかるように、アクスルケース２０のエンジンケース１８に接続される側の鉛直上部側には、エンジンケース１８の接合面２８に向かって突き出す突出部３２が設けられている。なお、突出部３２の具体的な形状は、半球状、円柱状、角柱状など、接合面２８に向かって突き出し、ボルト締結時にエンジンケース１８側の接合面２８と密接（当接）する形状であれば特に限定されない。なお、本実施例のアクスルケース２０のケース上部には、第１電動機ＭＧ１に電力を供給するケーブルを接続するコネクタ取付用の開口部３４が形成されている。この開口部３４にコネクタが接続されるため、組付時において接合面３０ａにさらにボルト締結部を追加することが困難となっている。
【００２３】
また、突出部３２とその突出部３２と密接するエンジンケース１８の接合面２８との間の摩擦係数μ１は、突出部３２が形成されていないアクスルケース２０の接合面３０とエンジンケース１８の接合面２８との間の摩擦係数μ２よりも低い値に設定されている（μ１＜μ２）。例えば突出部３２の表面には、研磨加工などの表面処理が施されるなどして摩擦係数μが低くなるように設定されている。従って、突出部３２と接合面２８との間では、他の接合面２８、３０間と比べて滑りが生じ易くなっている。
【００２４】
このようにアクスルケース２０に突出部３２が形成されることによって生じる作動および効果について説明する。図４は、ボルト締結時において、アクスルケース２０の突出部３２とエンジンケース１８の接合面２８とが当接する状態を拡大して簡略的に示す図である。図４に示すように、突出部３２が形成されるため、ボルト締結されると必ず突出部３２と接合面２８とが接触（当接）した状態となる。従って、ボルト締結部から離れた部位（接合面）であってもボルト締結力が作用することとなる。また、このような状態で、トランスアクスル１６から発生する振動がアクスルケース２０に伝達されると、この突出部３２が形成される部位にもその振動が伝達される。なお、上述したように、この突出部３２が形成される接合面３０ａは他の接合面３０と比べても振動しやすい部位である。これに対して、突出部３２と接合面２８との間の摩擦係数μ１は、突出部３２が形成されない接合面３０と接合面２８との間の摩擦係数μ２よりも低いため、振動が伝達されると、互いに接触する接触面において滑りが生じ、この滑りによって摩擦熱が発生する。すなわち、振動エネルギが熱エネルギに変換されて放出されることとなり、振動が摩擦によって減衰させられ、振動およびその振動に起因する騒音が低減される。これより、前記突出部３２が形成されることで、突出部３２および接合面２８の滑りを利用して振動および騒音を低減することができる。
【００２５】
また、突出部３２の形状、個数、設けられる部位の位置等を適宜調整することで、振動を効果的に減衰することもできる。具体的には、車両用駆動装置１０の共振周波数付近において、突出部３２と接合面２８とが面圧がかかった状態で滑るように調整することで、振動エネルギが摩擦によって熱エネルギに効率よく変換され、振動が効果的に減衰される。
【００２６】
図５は、車両用駆動装置１０を駆動させた際の周波数[Hz]と音圧[dB]との関係を示している。なお、横軸は周波数を示し、縦軸は所定の部位に設置した音圧計によって検出された音圧を示している。図５の二点鎖線で示す比較例２が突出部３２が形成されていない場合の音圧を示している。比較例２では、周波数が比較的高い領域において音圧の最も高くなるピークが見られ、広い周波数帯で音圧の高い状態が維持されている。一点鎖線で示す比較例１は、突出部が形成されるものの、摩擦係数μは他の部位と同じ値とされた場合の音圧に対応している。図５に示すように、突出部が形成されることで、比較例１のピークが見られる周波数帯において、音圧が低減されている。従って、突出部が形成されるだけであっても、ボルト２６による締結力を接合面３０ａ全体に作用させることができるため、振動が低減される。
【００２７】
太実線が本願発明に対応している。太実線で示すように、広い周波数帯において比較例１、２と比較して音圧が低減されており、特に、比較例２の音圧のピークが生じる周波数帯においてその低減量が顕著となっている。これは、その周波数帯において、突出部３２と接合面２８との間で滑りが生じて振動エネルギが摩擦によって熱エネルギに変換されているものと考えられる。
【００２８】
図６は、突出部３２が形成される接合面３０ａを加振試験した際の周波数に対するコヒーレンス、位相、イナータンスをそれぞれ示している。図６の実線で示すように、所定の周波数帯においてコヒーレンスが落ち込んでいる。これは、突出部３２と接合面２８とが摩擦することで減衰しているものと考えられる。また、実線で示すイナータンスについても所定の周波数帯において落ち込みが見られる。これについても突出部３２と接合面２８とが摩擦することで減衰しているものと考えられる。このように、突出部３２と接合面２８とが摩擦することで、振動が抑制される効果が確認された。
【００２９】
上述のように、本実施例によれば、接合面２８、３０に振動が伝達されると、突出部３２とその突出部３２と当接する接合面２８との間の摩擦係数μ１が、接合面３０と接合面２８との間の摩擦係数μ２よりも低いため滑りが生じる。この滑りによって摩擦熱が発生するので、振動エネルギが熱エネルギに変換されて放出される。従って、摩擦によって振動エネルギが低減されるので振動を抑制することができる。また、上記構造を構成するに際して、ボルト本数の増加や加工精度を高めたり、防音カバーやダイナミックダンパを追加する必要もないため、製造コストの増加も抑制される。
【００３０】
つぎに、本発明の他の実施例を説明する。なお、以下の説明において前述の実施例と共通する部分には同一の符号を付して説明を省略する。
【実施例２】
【００３１】
図７は、本発明の他の実施例である車両用駆動装置４０の一部であるエンジンケース４２のフランジ部４２ａとアクスルケース４６（ミッションケース）のフランジ部４６ａであって、特に、突出部３２とアクスルケース４６の接合面４８とがボルト２６によって締結される部位を拡大した図であり、前述の実施例の図４に対応している。前述の実施例では、突出部３２と接合面２８との間の摩擦係数μ１を研磨加工など施すことで低下させていたが、本実施例では、突出部３２と接合面４８の間に、例えばアルミニウム合金等から成る、薄板状の薄板５０が挟み込まれている。なお、薄板５０と突出部３２との間の摩擦係数μは、エンジンケース４２の接合面４８とアクスルケース４６の接合面４９との間の摩擦係数μ２よりも低く設定されている。
【００３２】
このように、薄板５０が挟み込まされることでも、振動が伝達された際には薄板５０と突出部３２との間で滑りが生じることで、振動エネルギが熱エネルギに変換されて放出されることとなる。従って、前述の実施例と同様の効果を得ることができる。また、本実施例においても、車両用駆動装置４０の共振周波数付近において、突出部３２と薄板５０とが面圧がかかった状態で滑るように薄板５０の形状、材質、枚数等が適宜調整される。
【００３３】
上述のように、本実施例においても、突出部３２と接合面４８との間に薄板５０を挟み込むことで、上述した実施例と同様の効果を得ることができる。
【００３４】
以上、本発明の実施例を図面に基づいて詳細に説明したが、本発明はその他の態様においても適用される。
【００３５】
例えば、前述の実施例では、トランスアクスル１６は、第１電動機ＭＧ１と、第２電動機ＭＧ２と、遊星歯車装置１７とを、含んで構成されるハイブリッド形式の駆動装置であったが、本発明は必ずしもこれに限定されない。例えば複数組の遊星歯車装置の回転要素が係合装置によって選択的に連結されることにより複数のギヤ段（変速段）が択一的に達成される例えば前進４段、前進５段、前進６段、さらにはそれ以上の変速段を有する遊星歯車式自動変速機、常時噛み合う複数対の変速ギヤ段を２軸間に備えてそれら複数対の変速ギヤ段のいずれかを同期装置を用いて変速アクチュエータが択一的に動力伝達状態とする同期噛合型平行２軸式変速機、同期噛合型平行２軸式変速機であるが入力軸を２系統備えて各系統の入力軸にクラッチがそれぞれつながり更にそれぞれ偶数段と奇数段へと繋がっている形式の変速機である所謂ＤＣＴ（Dual Clutch Transmission）、動力伝達部材として機能する伝動ベルトが有効径が可変である一対の可変プーリに巻き掛けられ変速比が無段階に連続的に変化させられる所謂ベルト式無段変速機、或いは、共通の軸心まわりに回転させられる一対のコーンとその軸心と交差する回転中心回転可能な複数個のローラがそれら一対のコーンの間で狭圧されそのローラの回転中心と軸心との交差角が変化させられることによって変速比が可変とされた所謂トラクション型無段変速比などを含んで構成されていても構わない。
【００３６】
また、前述の実施例では、突出部３２は何れも同じ形状とされているが、必ずしも同一形状とする必要はなく、車両用駆動装置１０の周波数特性等に応じて適宜変更しても構わない。
【００３７】
また、前述の実施例では、突出部３２は略等間隔で配置されているが、必ずしも等間隔に配置する必要はなく、車両用駆動装置１０の周波数特性等に応じて適宜変更しても構わない。
【００３８】
また、前述の実施例では、突出部３２は４個設けられているが、吐出部３２は１個以上形成されていれば特に限定されない。この吐出部３２の個数についても、車両用駆動装置１０の周波数特性等に応じて適宜変更することができる。
【００３９】
また、前述の実施例では、突出部３２と当接する接合面２８は平面形状とされているが、接合面２８の形状についても適宜変更しても構わない。例えば接合面２８に凹部を設けるなどして、突出部３２と接触させる位置および接触させない位置を任意に調整しても構わない。また、車両用駆動装置１０の周波数特性等に応じて、接合面２８に突出部３２と係合する凹部を設けるなど、適宜凹凸形状を設定しても構わない。
【００４０】
また、前述の実施例では、アクスルケース２０側に突出部３２が形成されているが、エンジンケース１８側に突出部３２が形成されても構わない。
【００４１】
また、前述の実施例では、アクスルケース２０側に突出部３２が形成されているが、アクスルケース２０の接合面３０とエンジンケース１８の接合面２８との合わせ面が凸状になるなど、接合面３０および接合面２８の合わせ面形状を任意に変化させても構わない。
【００４２】
また、前述の実施例では、低摩擦材料である薄板５０は、突出部３２と接合面４８との間に挟み込まれているが、組付性を考慮して、薄板５０をエンジンケース４２側に貼り着けても構わない。例えばエンジンケース４２側にアルミテープを貼り着けるなどして薄板５０を構成することができる。
【００４３】
また、前述の実施例では、薄板５０は薄板状に形成されているが、この形状についても必ずしも平面に限定されず、車両用駆動装置１０の周波数特性等に応じて適宜変更しても構わない。
【００４４】
また、前述の実施例では、薄板５０は一枚とされているが、複数枚の薄板５０を挟み込んで、部材同士を摩擦させる構造であっても構わない。薄板５０間で摩擦する場合であっても、その間で摩擦による摩擦熱が発生するので、振動エネルギが熱エネルギに変換されて、前述の実施例と同様の効果が得られる。この場合において、薄板５０は互いに異なる材質であっても構わない。
【００４５】
また、前述の実施例のトランスアクスル１６はＦＦ形式の動力伝達装置であったが、本発明は、必ずしもＦＦ形式に限定されず、例えばＦＲ形式など他の形式の動力伝達装置であっても適用できる。
【００４６】
なお、上述したのはあくまでも一実施形態であり、本発明は当業者の知識に基づいて種々の変更、改良を加えた態様で実施することができる。
【符号の説明】
【００４７】
１０、４０：車両用駆動装置
１２：エンジン
１４：駆動輪
１６：トランスアクスル（動力伝達装置）
１８、４２：エンジンケース
２０、４６：アクスルケース（ミッションケース）
２２：ボルト穴
２４：ボルト穴
２６：ボルト
２８：接合面（エンジンケース側）
３０：接合面（ミッションケース側）
３２：突出部
４８：接合面
４９：接合面
５０：薄板
【図１】
2013167275.tif 000003
【図２】
2013167275.tif 000004
【図３】
2013167275.tif 000005
【図４】
2013167275.tif 000006
【図５】
2013167275.tif 000007
【図６】
2013167275.tif 000008
【図７】
2013167275.tif 000009